(57)【要約】【課題】椅子の背もたれ又は座のフィット性を向上させる。【手段】背もたれ５は樹脂製であり、人の背もたれ荷重で撓み変形及び伸び変形し得る。背インナーシェル１３の裏面には、左右一対のブラケットが１５が１段又は複数段形成されており、バックフレーム１０に設けた支軸１６がブラケット１５に嵌まっている。ブラケット１５の支軸挿通穴が傾斜姿勢の長穴１８になっており、背インナーシェル１３に背もたれ荷重が掛かると、背インナーシェル１３はその左右間隔を広げるように伸び変形しながら後ろ向きに凸状に大きく撓み変形する。ロッキング状態において非ロッキング状態よりも背インナーシェル１３は平面視で撓みの曲率が小さくなるため、人の身体に対する高いフィット性が確保される。【選択図】図４
2009011694.tif 000002
【特許請求の範囲】
【請求項１】
人の体圧が掛かると撓み変形し得る受け板と、椅子の正面視又は平面視で前記受け板が左右両側から両端支持の状態で連結されているサポート材とを備えている、という椅子の背もたれ又は座であって、
前記受け板をサポート材に対して、受け板の連結部がサポート材の連結部に対して少なくとも左右方向に移動するように連結することにより、人の体圧によって受け板が撓み変形することを助長している、
椅子の背もたれ又は座。
【請求項２】
人が腰掛ける座と、着座した人がもたれ掛かることによる背もたれ荷重によって少なくとも平断面視形状が変形し得る背板と、前記背板が正面視又は平面視において両端支持の状態で連結されているバックフレームとを備えており、
前記背板をバックフレームに対して、背板の連結部がバックフレームの連結部に対して少なくとも左右方向に移動するように連結することにより、前記背もたれ荷重によって背板が後ろ向き凸状に撓み変形することを助長している、
椅子。
【請求項３】
前記背板の連結部とバックフレームの連結部とのうちいずれか一方は上下長手の軸であり、他方は前記軸がスライド自在に嵌まる長穴を有する部材である、
請求項２に記載した椅子。
【発明の詳細な説明】
【技術分野】
【０００１】
本願発明は、椅子及びこれに使用する座又は背もたれに関するものである。
【背景技術】
【０００２】
椅子の座や背もたれは様々の構造があるが、事務用に多用されている回転椅子を見ると、座は樹脂製の座板（座インナーシェル）の上面にクッションを張った構造として、背もたれは樹脂製の背板（背インナーシェル）の前面にクッションを張った構造としていることが多い（勿論、クッションを備えていないタイプやネット構造のものなどもある。）。
【０００３】
座インナーシェルを備えている座においてフィット性やクッション性を高めるための工夫としては、例えば本願出願人が出願した特許文献１がある。すなわち特許文献１では、座インナーシェルに多数のスリットを形成することによって大きな撓みと伸びとを可能ならしめると共に、座インナーシェルを正面視で両端支持の状態で座サポート材に取付けることにより、座インナーシェルが体圧で大きく沈み込むことを許容している。
【０００４】
また、背インナーシェルを備えた背もたれにおいてフィット性やクッション性を高めるための工夫としては、例えば本願出願人が出願した特許文献２がある。すなわち特許文献２では、背インナーシェルは、その左右外側に開口したスリットを含む多数のスリット群が形成されていて極めて柔軟性に富んだ構造になっており、かつ、背インナーシェルの上部をバックフレームに固定することにより、背インナーシェルのうち下方部は体圧で大きく撓み変形するようになっており、このため、特許文献２では、例えば着座した人が上半身をねじるような動きをしても背インナーシェルがこれに追従して変形することで高いフィット性が得られる。
【特許文献１】特開２０００−９３２５０号公報
【特許文献２】特開２００５−８０６７５号公報
【発明の開示】
【発明が解決しようとする課題】
【０００５】
特許文献１のものは、座インナーシェルはその左右両側部が座サポート材で拘束されていることで下向きの沈み込みが許容されており、逆に、特許文献２では背インナーシェルの下部は自由端になっているため大きく撓み変形することが許容されている。いずれにしても、座インナーシェルも背インナーシェルも撓み変形や伸び変形を利用してフィット性・クッション性の向上を図っている。
【０００６】
本願発明は、背板や座板の撓み変形や伸び変形を利用してフィット性を図る点はこれら先願発明の思想を踏襲しつつ、背板や座板のダイナミックな変形を可能ならしめることでより一層のフィット性向上を図らんとするものである。
【課題を解決するための手段】
【０００７】
本願発明は、椅子の背もたれ又は座を特徴とするものであり、請求項１では、人の体圧が掛かると撓み変形し得る受け板と、椅子の正面視又は平面視で前記受け板が左右両側から両端支持の状態で連結されているサポート材とを備えている、という椅子の背もたれ又は座において、前記受け板をサポート材に対して、受け板の連結部がサポート材の連結部に対して少なくとも左右方向に移動するように連結することにより、人の体圧によって受け板が撓み変形することを助長している。
【０００８】
請求項２の発明は椅子に係るもので、この椅子は、人が腰掛ける座と、着座した人がもたれ掛かることによる背もたれ荷重によって少なくとも平断面視形状が変形し得る背板と、前記背板が正面視又は平面視において両端支持の状態で連結されているバックフレームとを備えており、そして、前記背板をバックフレームに対して、背板の連結部がバックフレームの連結部に対して少なくとも左右方向に移動するように連結することにより、前記背もたれ荷重によって背板が後ろ向き凸状に撓み変形することを助長している。
【０００９】
請求項３の発明は請求項２において、前記背板の連結部とバックフレームの連結部とのうちいずれか一方は上下長手の軸であり、他方は前記軸がスライド自在に嵌まる長穴を有する部材になっている。
【発明の効果】
【００１０】
請求項１では、着座やもたれ掛かりによって受け板に体圧が掛かると、受け板がサポート材に連結されている箇所は左右方向に移動するため、換言すると、受け板をサポート材で両端支持の状態で支持するにおいて左右支持スパンが変化することにより、受け板を体圧の左右方向に大きく沈むように撓み変形させることができる。その結果、座に腰掛けたり背もたれにもたれ掛かったりしたときに高いフィット性を確保することができる。
【００１１】
請求項２は請求項１の特徴を背もたれに適用したものであり、その効果は前記したとおりである。背板をバックフレームに対して左右移動可能に連結する構造は種々考えられるが、請求項３のように軸と長穴との組み合わせを採用すると、簡単な構造で背板のスムースな動きを実現できる利点がある。なお、請求項３の考え方を請求項１の座に適用することも可能である。
【発明を実施するための最良の形態】
【００１２】
次に、本願発明の実施形態を図面に基づいて説明する。本実施形態は事務用に使用されるキャスター付き回転椅子に適用している。
【００１３】
(1).第１実施形態（図１〜図４）
図１〜図４では第１実施形態を示しており、まず、第１実施形態から説明する。図１は椅子の側面図、図２は後ろから見た斜視図、図３は要部の背面図、図４は図３のIV−IV視断面図であり、（Ａ）はもたれ掛かり前の状態で（Ｂ）はもたれ掛かった状態での図である。
【００１４】
椅子は、ガスシリンダ式の脚支柱２を有する脚装置１と、脚支柱２の上端に固定されたベース３と、ベース３の上方に配置された座４と、座４の後方でかつ上方に配置された背もたれ５とを備えている。座４は中間金具６に取付けられており、中間金具６はその前部が左右長手の第１軸７によってベース３に連結されている。他方、ベース３には当該ベース３から後ろ向きに延びる傾動フレーム８の前端部が左右長手の第２軸９によって回動可能に連結されており、傾動フレーム８の後端に設けた上向きのバックフレーム（背支柱）１０に背もたれ５が連結されている（取付けられている）。
【００１５】
中間金具６と傾動フレーム８とは左右横長の第３軸１１によって相対回動可能に連結されている。また、第１軸７はベース３に形成した側面視長手の長穴にスライド自在に嵌まっており、かつ、第１軸７はベース３に内蔵したばねで後退動が弾性的に支持されている。従って、背もたれ５はばねに抗して後傾動し、かつ、座４は背もたれ５の後傾動に連動して僅かながら後退しつつ後傾する。詳細は省略するが、座４は樹脂製の座インナーシェルにクッションを張った構造になっている。
【００１６】
次に、背もたれ５を説明する。背もたれ５は、ポリプロピレン等の樹脂から成る背インナーシェル１３を備えており、側面視では着座した人の腰部に当たる部分が最も前になるように前向き凸状に湾曲しており、また、平面視ではおおむね前向き凹の状態に湾曲している。前向き凹の湾曲の程度は腰支持部の当たりで最も大きくなっている。背インナーシェル１３の前面にはクッション１４を張ることが可能であるが、クッション１４を備えずに背インナーシェル１３を露出させることも可能である。
【００１７】
背インナーシェル１３の背面のうち下端寄りの左右２箇所と上下中間位置よりやや高い部分の左右２箇所とにブラケット１５を後ろ向きに突設している一方、バックフレーム１０は背面視で略Ｔ字状に形成されており、バックフレーム１０の左右両端に上下長手の支軸１６を固定し、この支軸１６に背インナーシェル１３のブラケット１５を貫通させている。支軸１６はスナップリング１７のような抜け止め手段によってブラケット１５に上下抜け不能に保持されている。
【００１８】
そして、図４に示すように、ブラケット１５に、支軸１６が嵌まる長穴１８が、背インナーシェル１３の中央部から左右外側に行くに従って背インナーシェル１３から後ろに遠ざかるように傾斜姿勢で形成されている。人の背もたれ荷重（体圧）が掛かっていない状態では、支軸１６は長穴１８の外端部１８ａに位置するように設定している。また、背インナーシェル１３は例えば多数のスリットを形成するなどの柔軟化手段により、その殆ど全体が平面視で大きく撓み変形することが許容されており、かつ、上部を除いた部分は左右方向に伸び変形することも許容されている。
【００１９】
着座した人が背もたれ５にもたれ掛かってロッキングすると、図４（Ｂ）に示すように、背インナーシェル１３に作用した背もたれ荷重により、ブラケット１５が支軸１６に沿って後退しつつ左右外側に広がり、かつ、背インナーシェル１３は後ろ向き凸状に沈むように変形する。本実施形態では、背インナーシェル１３が左右方向に伸び変形することにより、ブラケット１５が左右外側に移動することと背インナーシェル１３が後ろ向き凸に撓み変形することとが許容されている。
【００２０】
このようにロッキングによって背インナーシェル１３が後ろ向き凸状に湾曲変形するため、背インナーシェル１３で人の身体を包み込むような状態となり、その結果、高いフィット性を確保できるのである。また、背インナーシェル１３の変形と伸びは弾性に抗して行われるため、人の身体に対しては背インナーシェル１３の弾性が作用しており、その結果、高いクッション性も確保される。なお、人がロッキング状態から身体を起こすと、背インナーシェル１３は自身の弾性復元力により、図４（Ａ）に示す原状姿勢に復帰する。
【００２１】
(2).他の実施形態（図５〜図６）
図５及び図６では他の実施形態を示している。このうち図５（Ａ）に示す第２実施形態では、非ロッキング状態において支軸１６をブラケット１５における長穴１８の内端部１８ｂに位置させている。また、この実施形態では、長穴１８は、背インナーシェル１３の中央部から左右外側に行くに従って背インナーシェル１３との間隔が狭まるように傾斜しており、従って、第１実施形態と逆の傾斜になっている。この第２実施形態では、背インナーシェル１３は伸び変形しなくても大きく沈み込み変形させることができる。
【００２２】
図５（Ｂ）に示す第３実施形態は基本的には第２実施形態に類似しており、第２実施形態との相違点は、ブラケット１５の長穴１８が横長姿勢になっていることである。
【００２３】
図５（Ｃ）に示す第４実施形態と図４（Ｄ）に示す第５実施形態では、背インナーシェル１３のブラケット１５に支軸１６を設けて、バックフレーム１０に長穴１８を有するガイド部１９が設けられている（（Ｃ）（Ｄ）は模式的に表示している。）。このうち（Ｃ）の第４実施形態は機能的には図４（Ａ）と同じで左右の長穴１８が背面側から見た平面視で逆ハの字の姿勢を成しており、他方、（Ｄ）に示す第５実施形態は機能的には第１実施形態と同じで左右の長穴１８が背面側から見た平面視で逆ハの字の姿勢を成している。
【００２４】
図５（Ｄ）に例示するように、背インナーシェル１３とバックフレーム１０との間等の適宜部位に、背インナーシェル１３を元の姿勢に戻すための復帰ばね２０を設けることも可能である。
【００２５】
図６に示す第６実施形態では、背インナーシェル１３の背面部のうち上下中間部よりやや高い高さ位置がブラケット１５に対して左右動可能に連結されている一方、背インナーシェル１３の下端部に設けたブラケット２１は、ピン２２によってバックフレーム１０に左右動不能で上下動可能に保持されている。この第６実施形態から容易に理解できるように、背インナーシェル１３は左右１箇所のみをバックフレーム１０に対して左右動可能に連結しても良いのである。或いは、上下３箇所以上の高さ位置の箇所をそれぞれ左右２箇所ずつバックフレーム１０に連結することも可能である。
【００２６】
背インナーシェル１３のうち着座した人の腰部を支えるランバーサポート部の左右両側をバックフレーム１０に左右移動可能に連結することにより、ロッキング時にランバーサポート部が他の部位に比べて相対的に後ろ側に沈み込むように構成することも可能であり、この構成を採用すると、ロッキング時にランバーサポート部による突き上げ感が生じるのを防止できる利点がある。
【００２７】
(3).その他
本願発明は上記の実施形態の他にも様々に具体化できる。例えば、請求項１に記載しているように、本願発明は座にも適用できるのであり、その具体的構成は上記した各実施形態の背インナーシェルを座背インナーシェルに置き換えてバックフレームを座サポート材に置き換えたら良い。
【００２８】
また、本願発明の適用対象は移動可能の回転椅子に限らず、固定式の椅子や非ロッキング椅子にも適用することができる。更に、バックフレームの具体的な構造・形態や、背インナーシェル及び座背インナーシェルの取付け構造は必要に応じて任意に選択できる。
【図面の簡単な説明】
【００２９】
【図１】本実施形態に係る椅子の側面図である。
【図２】椅子を後ろから見た斜視図である。
【図３】要部の背面図である。
【図４】図３のIV−IV視断面図である。
【図５】第２〜第５実施形態を示す図である。
【図６】第６実施形態を示す図である。
【符号の説明】
【００３０】
４  座
５  背もたれ
１０  バックフレーム（背支柱）
１３  背インナーシェル
１４  クッション
１５  ブラケット
１６  支軸
１８  長穴
【図１】
2009011694.tif 000003
【図２】
2009011694.tif 000004
【図３】
2009011694.tif 000005
【図４】
2009011694.tif 000006
【図５】
2009011694.tif 000007
【図６】
2009011694.tif 000008